(57)【要約】【課題】外観を損なうことなく外装部材を筐体に固定することができる取付構造を提供する。【解決手段】本発明の取付構造は、一面（３１）と他面（３２）とを有する筐体（３）で覆われ、前記一面（３１）に外装部材（５）が取り付けられた物品（２）において、前記外装部材（５）が、前記他面（３２）側から挿入されて前記筐体（３）内を通って前記一面（３１）側に延びる係止部材（８）で係止されていることを特徴とする。【選択図】図２
2009198772.tif 000002
【特許請求の範囲】
【請求項１】
一面と他面とを有する筐体で覆われ、前記一面に外装部材が取り付けられた物品において、
前記外装部材が、前記他面側から挿入されて前記筐体内を通って前記一面側に延びる係止部材で係止されていることを特徴とする外装部材の取付構造。
【請求項２】
請求項１に記載の取付構造であって、
前記他面が前記物品の底面で、前記一面が前記物品の上面であることを特徴とする取付構造。
【請求項３】
請求項１又は２に記載の取付構造であって、
前記物品の前記筐体が、外部より他物品を装着するための装着部を有し、前記係止部材が、該装着部を開閉する蓋部におけるヒンジ軸としても機能することを特徴とする取付構造。
【発明の詳細な説明】
【技術分野】
【０００１】
本発明は、筐体の一面における外装部材の取付構造に関するものである。
【背景技術】
【０００２】
従来、例えばカメラ等の物品において、筐体の外側に装飾や補強の目的により外装部材が取り付けられているものがある。このような物品においては、外装部材の外側から筐体にネジを螺合することで外装部材を筐体に固定している（例えば、特許文献１参照）。
【特許文献１】特開平−４３８０７号公報
【発明の開示】
【発明が解決しようとする課題】
【０００３】
しかし、外装部材の外側からネジで固定する場合、ネジ頭が表面に露出してしまうため外観上好ましくない。本発明の課題は、外観を損なうことなく外装部材を筐体に固定することである。
【課題を解決するための手段】
【０００４】
本発明は、以下のような解決手段により前記課題を解決する。なお、理解を容易にするために、本発明の実施形態に対応する符号を付して説明するが、これに限定されるものではない。
【０００５】
請求項１に記載の発明は、一面（３１）と他面（３２）とを有する筐体（３）で覆われ、前記一面（３１）に外装部材（５）が取り付けられた物品（２）において、前記外装部材（５）が、前記他面（３２）側から挿入されて前記筐体（３）内を通って前記一面（３１）側に延びる係止部材（８）で係止されていることを特徴とする外装部材（５）の取付構造（１）である。
請求項２に記載の発明は、請求項１に記載の取付構造（１）であって、前記他面が前記物品（２）の底面(３２)で、前記一面が前記物品（２）の上面(３１)であることを特徴とする取付構造（１）である。
請求項３に記載の発明は、請求項１又は２に記載の取付構造（１）であって、前記物品（２）の前記筐体（３）が、外部より他物品（２）を装着するための装着部（９）を有し、前記係止部材（８）が、該装着部（９）を開閉する蓋部におけるヒンジ軸としても機能することを特徴とする取付構造（１）である。
なお、符号を付して説明した構成は、適宜改良してもよく、また、少なくとも一部を他の構成物に代替してもよい。
【発明の効果】
【０００６】
本発明によれば、外観を損なうことなく外装部材を筐体に固定することができる。
なお、実施形態及び変形形態は、適宜組み合わせて用いることもできるが、詳細な説明は省略する。また、本発明は以上説明した実施形態によって限定されることはない。
【発明を実施するための最良の形態】
【０００７】
以下、図面等を参照して、本発明の実施形態について説明する。なお、以下に示す各図には、説明と理解を容易にするために、ＸＹＺ直交座標系を設けた。この座標系では、撮影者が光軸Ａを水平として横長の画像を撮影する場合のカメラの位置（以下、通常の撮影位置という）において撮影者から見て左側に向かう方向をＸプラス方向とする。また、通常の撮影位置において上側に向かう方向をＹプラス方向とする。さらに、通常の撮影位置において被写体に向かう方向をＺプラス方向とする。
【０００８】
図１は本実施形態の取付構造１(図２に図示）を内部に有するカメラ２の概略斜視図である。本実施形態においてカメラ２は、レンズ非交換式のデジタルカメラであり、外側を囲む筐体３と、非撮影時にその一部が筐体３内に収納されるとともに撮影時には突き出す沈胴式のレンズ鏡筒４とを備える。また、筐体３の上面３１におけるＸマイナス側には、そのＸマイナス側を覆うように外装部材５が取り付けられている。また、上面３１における外装部材５が取り付けられている部分には、レリーズボタン６及び電源ボタン７が並んで配置されている。
【０００９】
筐体３は、カメラ２の外側を全体的に覆っており、上面３１、底面３２、前面３３、後面３４、側面３５を有する。前面３３は、Ｘマイナス側においてＺプラス側にやや突出している。
【００１０】
外装部材５は、光沢を持たせてカメラ２の外観を装飾するために、例えば筐体３と異なる材料で製造され、又は金属メッキされていてもよい。また、外装部材５は、その外装部材５のみ筐体３より取り外し可能とすることで、レリーズボタン６及び電源ボタン７といった操作ボタンの調整、交換又はメンテナンス時に、それら操作ボタンが取り付けられた箇所におけるカメラ２の内部の露出を容易にするという機能も有する。さらに、外装部材５は、筐体３の補強部材としての機能も有する。
【００１１】
図２はカメラ２のＸＹ平面に沿った部分的な概略断面図、図３はカメラ２のＸＺ平面に沿った部分的な概略断面図である。図２に示すように外装部材５は、筐体３内部側に突き出したネジ止め部を５１有する。ネジ止め部５１は内部にネジ切りされたネジ穴５１ａを有し、そのネジ穴５１ａには、後述する長ビス８の先端が螺合される。
【００１２】
また、図１に点線で示すように、外装部材５のＹマイナス面における筐体３の前面３３側とＸマイナス側の側面３５側には、外装部材５のＹマイナス側に掛止部材５２が延びている。掛止部材５２は、先端にそれぞれ筐体３の前面側とＸ側側面に突き出した掛止部５２ａが設けられている。一方、筐体３の前面３３側とＸマイナス側面３５における掛止部５２ａと対応する箇所には開口部３６が設けられ、掛止部５２ａは開口部３６に掛止されている。
【００１３】
また、カメラ２は、図３に示すように、撮影画像記録用のＳＤメモリカード９２を外部より装着可能なＳＤスロット９を備える。ＳＤスロット９は、Ｙ軸に沿って設けられたＳＤ差込口９１を備える。ＳＤカード９２は、ＳＤ差込口９１よりＸプラス方向に向かってＳＤスロット９内部に差し込むことでカメラ２に対して装着され、もう一度ＳＤカード９２を押すことにより抜けるようになっている。
【００１４】
筐体３には、ＳＤスロット９を開閉する蓋９３が設けられている。蓋９３は、矩形部材を一辺に沿って湾曲させた形状を有している。その一辺側には貫通穴９４が設けられ、貫通穴９４には、長ビス８が貫通され、蓋９３は、その長ビス８をヒンジ軸として回転し、図３における実線で示す閉じた状態と、点線で示す開いた状態とで開閉することができるようになっている。
【００１５】
図２に示すように、筐体３は、底面３２に凹部３７を有し、その凹部３７の中央部には穴３７ａが設けられている。また、筐体３の上面３１には、外装部材５を取り付ける凹部３９が設けられ、凹部３９には、外装部材５のネジ止め部５１が貫通する穴３９ａが設けられている。また、長ビス８は、ネジ頭８ｂと、筐体内部を延びる円柱部分８ｃと、先端に設けられたネジ部８ａとを有する。
【００１６】
次に、外装部材５の筐体３への取り付け方について説明する。まず、外装部材５を、筐体３の上面３１に設けられた凹部３９に載置する。そして、外装部材５を筐体３側に押し付けて掛止部５２ａを筐体３の内面の開口部３６に掛止させる。次に、長ビス８を筐体３の底面３２の凹部３７に設けられた穴３７ａより差し込む。この際、ＳＤスロット９の蓋９３の貫通穴９４に、長ビス８を通す。そして長ビス８の先端に設けられたネジ部８ａを外装部材５のネジ止め部５１に螺合させことで、外装部材５は筐体３の上面３１に固定される。
【００１７】
以上、本実施形態によると、長ビス８はカメラ２の上面３１及び外装部材５の外面に露出せず、長ビス８によりカメラ２の外観が損なわれることがない。また、長ビス８は、ＳＤスロット９のヒンジ軸としての機能するため、別途ヒンジ軸を設ける必要がない。さらに、長ビス８を底面３２から差し込んで底面３２においてネジ頭８ｂをドライバ等で回転させることで、ドライバ等を筐体３の内部に挿入することなく、上面３１に外装部材５を取り付けることができるので、取り付けが容易である。
【００１８】
（変形形態）
以上、説明した実施形態に限定されることなく、以下に示すような種々の変形や変更が可能であり、それらも本発明の範囲内である。
（１）本実施形態で外装部材５は、筐体３の上面３１のＸマイナス側の一部のみ覆う部材であったがこれに限定されず、上面３１の略全体を覆う部材であってもよい。
（２）本実施形態では、外装部材５を固定する長ビス８は、ＳＤスロット９の蓋９３のヒンジ軸として用いる例について説明したが、本発明はこれに限定されず、電池のバッテリーの蓋のヒンジ軸等の他部分のヒンジ軸として用いてもよい。
（３）本実施形態では、外装部材５にレリーズボタン６及び電源ボタン７を配置したがこれに限定されず、モードダイヤル等の回動する部材を外装部材５に配置し、長ビス８の軸を回動部材の回転軸とすることもできる。
（４）さらに、本実施形態では、カメラ２の取り付け構造について説明したが、本発明はこれに限定されず、筐体で囲まれた他のあらゆる機器に適用可能である。
【図面の簡単な説明】
【００１９】
【図１】本実施形態の取付構造を内部に有するカメラの概略斜視図である。
【図２】カメラのＸＹ平面に沿った部分的な概略断面図である。
【図３】カメラのＸＺ平面に沿った部分的な概略断面図である。
【符号の説明】
【００２０】
１：取付構造、２：カメラ、３：筐体、５：外装部材、８：長ビス、９：ＳＤスロット、３１：上面、３２：底面
【図１】
2009198772.tif 000003
【図２】
2009198772.tif 000004
【図３】
2009198772.tif 000005